(57)【要約】【課題】ユーザの操作性の向上を図り、混合コンテンツの作成を容易とする情報処理装置を提供すること。【解決手段】所定の記憶手段に記憶されているコンテンツを利用した混合コンテンツの作成支援を行う情報処理装置であって、記憶手段に記憶されているコンテンツを指定する情報の入力を受け付けて、当該指定されたコンテンツを再生出力するコンテンツ再生出力手段と、コンテンツの所定部分を選択する部分選択情報の入力を受け付けて、この選択されたコンテンツ部分を特定するコンテンツ選択手段と、特定されたコンテンツ部分に基づいて混合コンテンツの構成情報を生成する構成情報生成手段と、を備えた。【選択図】図１
2008159102.tif 000002
【特許請求の範囲】
【請求項１】
所定の記憶手段に記憶されているコンテンツを利用した混合コンテンツの作成支援を行う情報処理装置であって、
前記記憶手段に記憶されているコンテンツを指定する情報の入力を受け付けて、当該指定されたコンテンツを再生出力するコンテンツ再生出力手段と、
前記コンテンツの所定部分を選択する部分選択情報の入力を受け付けて、この選択されたコンテンツ部分を特定するコンテンツ選択手段と、
前記特定されたコンテンツ部分に基づいて混合コンテンツの構成情報を生成する構成情報生成手段と、
を備えたことを特徴とする情報処理装置。
【請求項２】
前記コンテンツ選択手段は、前記コンテンツ再生出力手段にてコンテンツが再生されている最中に操作されることで当該コンテンツの所定部分を選択する予め定められた部分選択操作部から入力される操作情報を、前記部分選択情報として受け付ける、
ことを特徴とする請求項１記載の情報処理装置。
【請求項３】
前記コンテンツ選択手段は、前記部分選択操作部から入力される前記再生されているコンテンツの所定部分の始点と終点を選択する操作情報を、前記部分選択情報として受け付ける、
ことを特徴とする請求項２記載の情報処理装置。
【請求項４】
前記部分選択操作部は、前記再生されているコンテンツの所定部分の始点を選択する始点ボタンと、前記再生されているコンテンツの所定部分の終点を選択する終点ボタンと、を有する、
ことを特徴とする請求項３記載の情報処理装置。
【請求項５】
検索条件の入力を受け付けて、当該検索条件に対応するコンテンツを前記記憶手段から検索するコンテンツ検索手段を備え、
前記再生出力手段は、前記検索されたコンテンツの再生出力を行う、
ことを特徴とする請求項１，２，３又は４記載の情報処理装置。
【請求項６】
前記構成情報生成手段は、前記生成した構成情報を表示出力すると共に、
この表示出力された構成情報に対して入力される前記混合コンテンツの構成を変更する構成変更指令を受け付け、この構成変更指令に基づいて前記構成情報を変更し表示出力する構成変更手段を備えた、
ことを特徴とする請求項１，２，３，４又は５記載の情報処理装置。
【請求項７】
所定の記憶手段に記憶されているコンテンツを利用した混合コンテンツの作成支援を行う情報処理装置に、
前記記憶手段に記憶されているコンテンツを指定する情報の入力を受け付けて、当該指定されたコンテンツを再生出力するコンテンツ再生出力手段と、
前記コンテンツの所定部分を選択する部分選択情報の入力を受け付けて、この選択されたコンテンツ部分を特定するコンテンツ選択手段と、
前記特定されたコンテンツ部分に基づいて混合コンテンツの構成情報を生成する構成情報生成手段と、
を実現させるためのプログラム。
【請求項８】
情報処理装置にて、所定の記憶手段に記憶されているコンテンツを利用した混合コンテンツの作成支援を行う方法であって、
前記記憶手段に記憶されているコンテンツを指定する情報の入力を受け付けて、当該指定されたコンテンツを再生出力するコンテンツ再生出力工程と、
前記コンテンツの所定部分を選択する部分選択情報の入力を受け付けて、この選択されたコンテンツ部分を特定するコンテンツ選択工程と、
前記特定されたコンテンツ部分に基づいて混合コンテンツの構成情報を生成する構成情報生成工程と、
を有することを特徴とする混合コンテンツ作成支援方法。
【請求項９】
前記コンテンツ選択工程は、前記コンテンツ再生出力工程にてコンテンツが再生されている最中に操作されることで当該コンテンツの所定部分を選択する予め定められた部分選択操作部から入力される操作情報を、前記部分選択情報として受け付ける、
ことを特徴とする請求項８記載の混合コンテンツ作成支援方法。
【請求項１０】
検索条件の入力を受け付けて、当該検索条件に対応するコンテンツを前記記憶手段から検索するコンテンツ検索工程を備え、
前記再生出力工程は、前記検索されたコンテンツの再生出力を行う、
ことを特徴とする請求項８又は９記載の混合コンテンツ作成支援方法。
【請求項１１】
前記構成情報生成工程は、前記生成した構成情報を表示出力すると共に、
この表示出力された構成情報に対して入力される前記混合コンテンツの構成を変更する構成変更指令を受け付け、この構成変更指令に基づいて前記構成情報を変更し表示出力する構成変更工程を有する、
ことを特徴とする請求項８，９又は１０記載の混合コンテンツ作成支援方法。
【請求項１２】
所定の記憶手段に記憶されているコンテンツを利用した混合コンテンツの作成支援を行うための表示部を備える情報処理装置であって、
前記表示部に、
前記記憶手段に記憶されているコンテンツを指定する情報を入力する指定情報入力部と、
前記指定情報入力部に入力された情報により指定されたコンテンツを再生する再生操作部と、
前記コンテンツの所定部分を選択する部分選択情報を入力する選択情報入力部と、
を表示する、ことを特徴とする情報処理装置。
【請求項１３】
前記表示部に、
前記部分選択情報により選択されたコンテンツの所定部分を表示する構成表示部を表示する、ことを特徴とする請求項１２記載の情報処理装置。
【請求項１４】
前記表示部に、
複数の前記所定部分により生成した混合コンテンツを前記記憶手段に登録する登録操作部を表示する、ことを特徴とする請求項１２又は１３記載の情報処理装置。
【請求項１５】
前記選択情報入力部は、
前記再生操作部により再生されているコンテンツにおける前記所定部分の始点と終点を入力する指定部を備える、ことを特徴とする請求項１２，１３又は１４に記載の情報処理装置。
【請求項１６】
前記指定部は、
前記再生操作部により再生されているコンテンツにおける前記所定部分の始点を入力する始点指示部と、
前記再生操作部により再生されているコンテンツにおける前記所定部分の終点を入力する終点指示部と、
を備える、ことを特徴とする請求項１５に記載の情報処理装置。
【請求項１７】
前記構成表示部は、
複数の前記所定部分を表示する、ことを特徴とする請求項１３に記載の情報処理装置。
【請求項１８】
所定の記憶手段に記憶されているコンテンツを利用した混合コンテンツの作成支援を行うための表示部を備えるコンピュータに、
前記表示部に対して、
前記記憶手段に記憶されているコンテンツを指定する情報を入力する指定情報入力部を表示する処理と、
前記指定情報入力部に入力された情報により指定されたコンテンツを再生する再生操作部を表示する処理と、
前記コンテンツの所定部分を選択する部分選択情報を入力する選択情報入力部を表示する処理と、
を実行させる、ことを特徴とするプログラム。
【請求項１９】
前記表示部に対して、
前記部分選択情報により選択されたコンテンツの所定部分を表示する構成表示部を表示する処理を実行させる、ことを特徴とする請求項１８記載のプログラム。
【請求項２０】
前記表示部に対して、
複数の前記所定部分により生成した混合コンテンツを前記記憶手段に登録する登録操作部を表示する処理を実行させる、ことを特徴とする請求項１８記載のプログラム。
【請求項２１】
前記表示部に対して、
前記再生操作部により再生されているコンテンツにおける前記所定部分の始点と終点を入力する指定部を備える前記選択情報入力部を表示する処理を実行させる、ことを特徴とする請求項１８に記載のプログラム。
【請求項２２】
前記表示部に対して、
前記再生操作部により再生されているコンテンツにおける前記所定部分の始点を入力する始点指示部と、前記再生操作部により再生されているコンテンツにおける前記所定部分の終点を入力する終点指示部と、を備える前記指定部を表示する処理を実行させる、ことを特徴とする請求項２１に記載のプログラム。
【請求項２３】
前記表示部に対して、
複数の前記所定部分を表示する前記構成表示部を表示する処理を実行させる、ことを特徴とする請求項１８に記載のプログラム。
【発明の詳細な説明】
【技術分野】
【０００１】
本発明は、情報処理装置にかかり、特に、映像などのコンテンツを編集して混合コンテンツを作成することを支援する情報処理装置に関する。
【背景技術】
【０００２】
近年、インターネットを利用したCGM（Consumer Generated Media）が普及しており、不特定多数のユーザがネットワーク上にコンテンツを公開することが一般的になってきている。特に、パーソナルコンピュータの処理性能の向上や、ネットワーク帯域の向上により、従来のホームページやブログなどによるテキストや静止画だけでなく、動画を含む映像も共有可能なよう公開されている。また、昨今では、これら公開されたコンテンツを不特定多数のユーザが、編集・公開し、新しいコンテンツとして創造するマッシュアップ（混合制作）が注目されている。
【０００３】
【特許文献１】特開２００４−２４０７８０号公報
【発明の開示】
【発明が解決しようとする課題】
【０００４】
しかし、上述したようなネットワークを利用したコンテンツの共同制作や、混合制作において、特に動画である映像データを用いた共同・混合制作及び配信システムにおいては、ネットワーク上の作業は困難であった。つまり、コンテンツを編集するためには、クライアントのパソコン等の端末にコンテンツ配信システムよりコンテンツをダウンロードし、編集及びエンコードを行った後、再度アップロードするという手順が必要であり、操作手順が煩雑になっていた。また、部分的に再利用された映像と同じ映像コンテンツが、何度も公開サーバに蓄積され、結果として同じコンテンツが複数保存されていた。
【０００５】
また、上記特許文献１には、ネットワーク上のコンピュータに蓄積されている複数の素材データを直接参照してプレゼンテーションデータを生成する、というシステムが開示されている。しかし、このシステムに開示されているプレゼンテーションデータの生成方法は、素材データのファイル名を入力して、また、その一部を利用する場合にはその時間を指定することによって行っているが、どの素材データを利用し、また、素材データのどの部分を利用するか、ということを認識することが困難である。従って、希望する構成のコンテンツを迅速かつ分かり易く作成することが困難であり、ユーザにとって操作性が悪い、という問題が生じる。
【０００６】
このため、本発明では、上記従来例の有する不都合を改善し、特に、ユーザの操作性の向上を図り、混合コンテンツの作成を容易とする情報処理装置を提供すること、をその目的とする。
【課題を解決するための手段】
【０００７】
そこで、本発明の一形態である、所定の記憶手段に記憶されているコンテンツを利用した混合コンテンツの作成支援を行う情報処理装置は、
記憶手段に記憶されているコンテンツを指定する情報の入力を受け付けて、当該指定されたコンテンツを再生出力するコンテンツ再生出力手段と、
コンテンツの所定部分を選択する部分選択情報の入力を受け付けて、この選択されたコンテンツ部分を特定するコンテンツ選択手段と、
特定されたコンテンツ部分に基づいて混合コンテンツの構成情報を生成する構成情報生成手段と、
を備えたことを特徴としている。
【０００８】
上記発明によると、まず、ユーザが混合コンテンツの１つの構成としてコンテンツを指定すると、指定されたコンテンツが再生出力される。そして、ユーザは、この再生されているコンテンツを視聴した上で、混合コンテンツの構成として使用したいコンテンツ部分を選択する情報を入力する。すると、この選択されたコンテンツ部分が混合コンテンツの構成として含められた構成情報が生成される。従って、ユーザは、混合コンテンツを作成する際に、構成としたいコンテンツを再生することができるため、その内容を認識した上で編集することができ、容易かつユーザが希望するよう作成することができる。
【０００９】
そして、コンテンツ選択手段は、コンテンツ再生出力手段にてコンテンツが再生されている最中に操作されることで当該コンテンツの所定部分を選択する予め定められた部分選択操作部から入力された操作情報を、部分選択情報として受け付ける、ことを特徴としている。特に、コンテンツ選択手段は、部分選択操作部から入力される再生されているコンテンツの所定部分の始点と終点を選択する操作情報を、部分選択情報として受け付ける、ことを特徴としている。そして、例えば、部分選択操作部は、再生されているコンテンツの所定部分の始点を選択する始点ボタンと、再生されているコンテンツの所定部分の終点を選択する終点ボタンと、を有する、ことを特徴としている。
【００１０】
これにより、ユーザは、再生されているコンテンツを視聴しながら当該コンテンツの所定部分を選択して、希望する部分をより適切に選択することができる。特に、始点と終点を入力してコンテンツ部分を選択可能とすることで、より簡易な操作となり、ユーザの利便性の向上を図ることができる。
【００１１】
また、検索条件の入力を受け付けて、当該検索条件に対応するコンテンツを記憶手段から検索するコンテンツ検索手段を備え、再生出力手段は、検索されたコンテンツの再生出力を行う、ことを特徴としている。これにより、混合コンテンツに含めたい内容のコンテンツを検索して抽出することができ、より希望の混合コンテンツを迅速かつ容易に作成することができ、ユーザの利便性の向上を図ることができる。
【００１２】
また、構成情報生成手段は、生成した構成情報を表示出力すると共に、この表示出力された構成情報に対して入力される混合コンテンツの構成を変更する構成変更指令を受け付け、この構成変更指令に基づいて構成情報を変更し表示出力する構成変更手段を備えた、ことを特徴としている。これにより、表示されている構成情報上で混合コンテンツの構成変更指令を入力することで構成が変更されるため、混合コンテンツの編集が容易となり、ユーザのさらなる操作性の向上を図ることができる。
【００１３】
また、本発明の他の形態であるプログラムは、
所定の記憶手段に記憶されているコンテンツを利用した混合コンテンツの作成支援を行う情報処理装置に、
記憶手段に記憶されているコンテンツを指定する情報の入力を受け付けて、当該指定されたコンテンツを再生出力するコンテンツ再生出力手段と、
コンテンツの所定部分を選択する部分選択情報の入力を受け付けて、この選択されたコンテンツ部分を特定するコンテンツ選択手段と、
特定されたコンテンツ部分に基づいて混合コンテンツの構成情報を生成する構成情報生成手段と、
を実現させる、ことを特徴としている。
【００１４】
さらに、本発明の他の形態である情報処理装置にて混合コンテンツの作成を支援する方法は、
記憶手段に記憶されているコンテンツを指定する情報の入力を受け付けて、当該指定されたコンテンツを再生出力するコンテンツ再生出力工程と、
コンテンツの所定部分を選択する部分選択情報の入力を受け付けて、この選択されたコンテンツ部分を特定するコンテンツ選択工程と、
特定されたコンテンツ部分に基づいて混合コンテンツの構成情報を生成する構成情報生成工程と、
を有することを特徴としている。
【００１５】
そして、コンテンツ選択工程は、コンテンツ再生出力工程にてコンテンツが再生されている最中に操作されることで当該コンテンツの所定部分を選択する予め定められた部分選択操作部から入力される操作情報を、部分選択情報として受け付ける、ことを特徴としている。また、検索条件の入力を受け付けて、当該検索条件に対応するコンテンツを前記記憶手段から検索するコンテンツ検索工程を備え、再生出力工程は、検索されたコンテンツの再生出力を行う、ことを特徴としている。さらに、構成情報生成工程は、生成した構成情報を表示出力すると共に、この表示出力された構成情報に対して入力される混合コンテンツの構成を変更する構成変更指令を受け付け、この構成変更指令に基づいて構成情報を変更し表示出力する構成変更工程を有する、ことを特徴としている。
【００１６】
また、本発明の他の形態である情報処理装置は、
所定の記憶手段に記憶されているコンテンツを利用した混合コンテンツの作成支援を行うための表示部を備える情報処理装置であって、
表示部に、
記憶手段に記憶されているコンテンツを指定する情報を入力する指定情報入力部と、
指定情報入力部に入力された情報により指定されたコンテンツを再生する再生操作部と、
コンテンツの所定部分を選択する部分選択情報を入力する選択情報入力部と、
を表示する、ことを特徴としている。
【００１７】
そして、表示部に、部分選択情報により選択されたコンテンツの所定部分を表示する構成表示部を表示する、ことを特徴としている。また、表示部に、複数の所定部分により生成した混合コンテンツを記憶手段に登録する登録操作部を表示する、ことを特徴としている。
【００１８】
また、選択情報入力部は、再生操作部により再生されているコンテンツにおける所定部分の始点と終点を入力する指定部を備える、ことを特徴としている。そして、この指定部は、再生操作部により再生されているコンテンツにおける所定部分の始点を入力する始点指示部と、再生操作部により再生されているコンテンツにおける所定部分の終点を入力する終点指示部と、を備える、ことを特徴としている。さらに、構成表示部は、複数の所定部分を表示する、ことを特徴としている。
【００１９】
また、本発明の他の形態であるプログラムは、
所定の記憶手段に記憶されているコンテンツを利用した混合コンテンツの作成支援を行うための表示部を備えるコンピュータに、
表示部に対して、
記憶手段に記憶されているコンテンツを指定する情報を入力する指定情報入力部を表示する処理と、
指定情報入力部に入力された情報により指定されたコンテンツを再生する再生操作部を表示する処理と、
コンテンツの所定部分を選択する部分選択情報を入力する選択情報入力部を表示する処理と、
を実行させる、ことを特徴としている。
【００２０】
そして、表示部に対して、部分選択情報により選択されたコンテンツの所定部分を表示する構成表示部を表示する処理を実行させる、ことを特徴としている。また、表示部に対して、複数の所定部分により生成した混合コンテンツを記憶手段に登録する登録操作部を表示する処理を実行させる、ことを特徴としている。
【００２１】
また、表示部に対して、再生操作部により再生されているコンテンツにおける所定部分の始点と終点を入力する指定部を備える選択情報入力部を表示する処理を実行させる、ことを特徴としている。そして、表示部に対して、再生操作部により再生されているコンテンツにおける所定部分の始点を入力する始点指示部と、再生操作部により再生されているコンテンツにおける所定部分の終点を入力する終点指示部と、を備える指定部を表示する処理を実行させる、ことを特徴としている。さらに、表示部に対して、複数の所定部分を表示する構成表示部を表示する処理を実行させる、ことを特徴としている。
【００２２】
上述した構成のプログラムや方法の発明であっても、上記情報処理装置と同様の作用を有するため、上述した本発明の目的を達成することができる。
【発明の効果】
【００２３】
本発明は、以上のように構成され機能するので、これによると、混合コンテンツを作成する際に、構成に含めたいコンテンツを再生することができるため、その内容を認識した上で編集することができ、容易にユーザが希望するよう混合コンテンツを作成することができる。従って、コンテンツの登録及び配信等のサービスを提供する事業者のサービスの質の向上を図ることができる、という従来にない優れた効果を有する。
【発明を実施するための最良の形態】
【００２４】
本発明は、複数のコンテンツを混合編集して、混合コンテンツの作成を支援するシステムであり、特に、素材となるコンテンツを再生させつつユーザが必要なコンテンツ部分を選択できる点に特徴を有する。以下、具体的な構成及び動作を、実施例にて説明する。
【実施例１】
【００２５】
本発明の第１の実施例を、図１乃至図１４を参照して説明する。図１乃至図５は、本発明におけるシステム及びコンピュータの構成を示す図である。図６乃至図８は、コンテンツ登録時の処理の様子を示す図である。図９乃至図１３は、ユーザ端末に表示される画面の様子を示す図である。図１４は、動作を示す図である。
【００２６】
［構成］
まず、本実施例におけるコンテンツ登録システムは、図１に示すように、コンテンツの登録及び配信を行うコンテンツ管理サーバ１と、コンテンツの作成及び登録や登録されているコンテンツの配信を受けるユーザ端末２と、他のコンテンツが登録され配信される素材サーバ３と、がインターネット等のネットワークＮを介して接続されている。以下、各構成について詳述する。
【００２７】
ユーザ端末２は、コンテンツの視聴、及び、コンテンツの登録・編集の操作入力を行うユーザが操作するパソコンやＰＤＡ、携帯電話等の情報処理端末である。そして、ユーザ端末２は、図２に示すように、コンテンツ管理サーバ１等と接続するための通信部２１と、端末自体の動作を制御する制御装置２２と、ユーザが作成したり所有しているMPEGやWindows Media方式でエンコードされた映像データそのもの（単一コンテンツ）が記憶されている映像データ記憶部２３と、コンテンツの視聴画面や編集操作画面を表示するための表示部２４と、ユーザが視聴時や編集時の操作を入力するための操作部２５と、を備えている。
【００２８】
そして、ユーザ端末２は、後述するように、ユーザの操作に応じてコンテンツ管理サーバ１にアクセスし、映像データそのものを登録したり、コンテンツ管理サーバ１や素材サーバ３等に登録されている他の映像データを利用してコンテンツを編集製作してコンテンツ管理サーバ１に登録したり、さらには、コンテンツ管理サーバ１に登録されている映像データの視聴を行う。なお、具体的な処理内容については、動作説明時に詳述する。
【００２９】
素材サーバ３は、ユーザ端末２などによって登録された映像データを蓄積し、また、配信を行うサーバコンピュータである。そして、素材サーバ３は、図３に示すように、コンテンツ登録システム等と接続するための通信部３と、サーバの動作を制御する制御装置３２と、情報を記憶する記憶装置３４と、を備えている。そして、特に、記憶装置３４には、ユーザ端末２などから登録された映像データが記憶されている映像記憶部３５が形成されており、この映像データをコンテンツ管理サーバ１やユーザ端末２からの要求に応じて、当該映像データを配信するコンテンツ配信処理部３３が制御装置３２に構築されている。なお、具体的な処理内容については、動作説明時に詳述する。
【００３０】
次に、コンテンツ管理サーバ１（情報処理装置）の構成について、図４乃至図５を参照して説明する。コンテンツ管理サーバ１は、コンテンツの登録及び配信を行う一般的なサーバコンピュータであり、図４に示すように、クライアント端末２や素材サーバ３と通信するための通信部１Ａと、サーバ自体の動作を制御するＣＰＵといった制御装置１Ｂと、情報を記憶するハードディスクなどの記憶装置１Ｃと、を備えている。そして、制御装置１Ｂには、所定のプログラムが組み込まれることで、登録受付処理部１１と、コンテンツ解析処理部１２と、メタ情報生成処理部１３と、コンテンツ登録処理部１４と、コンテンツ配信処理部１５と、が構築されている。また、記憶装置１Ｃには、映像データ記憶部１６と、コンテンツ情報記憶部１７と、が形成されている。以下、各処理部１１〜１５及び各記憶部１６，１７についてさらに詳述する。
【００３１】
登録受付処理部１１（コンテンツ受付手段）は、ユーザ端末２から映像データ（登録されるコンテンツ）の登録指令を受け付ける。具体的に、登録受付処理部１１は、図５に示すように、新規登録処理部１１１と、編集登録処理部１１２と、を備えており、編集登録処理部１１２は、さらに、コンテンツ検索部１１３と、コンテンツ選択部１１４と、構成変更部１１５と、コンテンツ登録部１１６と、を備えている。なお、これら各部１１２〜１１６は、上述したように、制御装置１Ｂに所定のプログラムが組み込まれることによって実現される。
【００３２】
新規登録処理部１１１は、ユーザ端末２から新規に映像データ（単一コンテンツ）の登録を受け付ける。例えば、ユーザ端末２に対して図９に示すような映像登録画面Ｐ１０１を送信し、かかる画面Ｐ１０１に入力されたユーザ名Ｐ１０２、コンテンツ名Ｐ１０３、映像データを指定するファイルパスＰ１０４、をユーザ端末２から受け付ける。つまり、登録される映像データを特定する情報（コンテンツ特定情報）を受け付けて、コンテンツ解析処理部１２に渡す。なお、この新規登録処理部１１１では、図６のコンテンツ＃１，＃２，＃３に示すように、映像データそのもの、つまり、一つの映像ファイルによる単一コンテンツにて構成されているデータを登録する場合に作動する。
【００３３】
また、編集登録処理部１１２は、ユーザ端末２から複数の映像データが組み合わせられて製作される混合映像データ（混合コンテンツ）の作成・編集指令及び登録指令を受け付ける。例えば、ユーザ端末２に対して図１０に示すような編集登録画面Ｐ２０１を送信し、かかる画面に入力される作成・編集指令を受け付けて編集対象となる映像データ等をユーザ端末２に送信し、また、編集が完了した混合コンテンツの構成を表す当該混合コンテンツを特定するコンテンツ特定情報を受け付ける。
【００３４】
具体的に、編集登録画面Ｐ２０１は、編集操作部Ｐ２０２と、コンテンツ登録部Ｐ２０３と、コンテンツ構成部Ｐ２０４と、コンテンツ参照部Ｐ２０５と、により構成されている。そして、コンテンツ参照部Ｐ２０５では、上記コンテンツ検索部１１３（コンテンツ検索手段）が作動することにより、検索欄に入力された検索条件に基づいて、コンテンツ管理サーバ１や素材サーバ３に登録されている映像データであるコンテンツの検索及びその検索結果であるコンテンツ一覧表示を行う。
【００３５】
また、編集操作部Ｐ２０２では、コンテンツ選択部１１４（コンテンツ再生出力手段、コンテンツ選択手段、構成情報生成手段）が作動することにより、コンテンツ参照部Ｐ２０５（指定情報入力部）に表示されたコンテンツ名が選択されるなどコンテンツを指定する情報が入力されると、この指定されたコンテンツを動画再生画面Ｐ２０６（再生操作部）に再生表示する。このとき、映像操作ボタンＰ２０７（再生操作部）の操作により、コンテンツの再生、停止、早送り、巻き戻しが可能である。また、ユーザが指定されたコンテンツにおいて、コンテンツ再生中に、利用したい箇所（コンテンツ部分）を始点ボタンＰ２０８と終点ボタンＰ２０９（選択情報入力部）を押下し、追加ボタンＰ２１０を押下する。すると、始点ボタンＰ２０８（始点指定部（指定部））が押下されたときの再生箇所から、終点ボタンＰ２０９（終点指定部（指定部））が押下されたときの再生箇所までの部分が、混合コンテンツに追加される構成となるコンテンツ部分として特定される。そして、コンテンツ構成部Ｐ２０４（構成表示部）に、選択されたコンテンツが追加され、コンテンツ名と、選択された映像のコンテンツ始点からの相対時刻として開始時刻及び停止時刻とが、混合コンテンツの構成情報として表示される。そして、上記編集操作部Ｐ２０２での操作を繰り返すことで、複数のコンテンツを組み合わせることが可能となる。
【００３６】
なお、上記では、混合コンテンツに含めたいコンテンツの所定部分を選択する方法として、コンテンツ再生中に始点ボタンＰ２０８及び終点ボタンＰ２０９（部分選択操作部（選択情報入力部））を押下して部分選択情報を入力する場合を例示したが、かかる操作にてコンテンツ部分を選択することに限定されず、コンテンツ部分の選択方法は任意である。例えば、所定のボタンを押下している間に再生されたコンテンツ部分が選択されるよう構成されていてもよく、再生されているコンテンツを視聴したユーザにて直接コンテンツの再生時刻が入力されてもよい。
【００３７】
また、コンテンツ構成部Ｐ２０４に表示される構成情報は、このコンテンツ構成部Ｐ２０４の画面上でユーザが操作して構成変更指令を入力することで、コンテンツの順番等を容易に変更可能である。例えば、コンテンツ構成部Ｐ２０４に表示されたコンテンツ番号を、任意の位置にドラッグ＆ドロップすることで、ドロップされた順番にコンテンツが移動することとなる。また、コンテンツを選択して削除指令を入力することで削除したり、コンテンツリストからコンテンツ名をドラッグ＆ドロップしてコンテンツ構成部Ｐ２０４に追加することも可能である。さらには、選択したコンテンツの利用する部分の選択や修正は、開始・停止時刻に直接入力することでも可能である。なお、上記構成変更機能は、構成変更部１１５（構成変更手段）が作動することで実現される。
【００３８】
編集操作が終了した場合、コンテンツ登録部Ｐ２０３で、登録するコンテンツ名Ｐ２１１を入力し、登録ボタンＰ２１２（登録操作部）を押下することで、コンテンツ構成部Ｐ２０４の内容がコンテンツ特定情報としてコンテンツ管理サーバ１に受け付けられ、編集されたコンテンツとして登録されるようコンテンツ解析処理部１２に渡される。なお、すでに登録されたコンテンツを編集して新しい混合コンテンツを作成した例を、図７のコンテンツ＃４及び図８のコンテンツ＃５に示す。また、図１１に、コンテンツ＃４及びコンテンツ＃５を編集登録する際に、図１０の編集登録画面Ｐ２０１のコンテンツ構成部Ｐ２０４で表示されるイメージ図を示す。
【００３９】
上述したような編集登録画面Ｐ２０１により、ユーザは、混合コンテンツを作成する際に、構成としたいコンテンツを再生することができるため、その内容を認識した上で編集することができ、容易かつユーザが希望するよう作成することができる。また、コンテンツ部分の選択も、始点・終点ボタンを選択することで可能であるため、より簡易な操作となり、ユーザの操作性が向上しうる。さらに、表示されている構成情報上で混合コンテンツの構成変更指令を入力することで構成が変更されるため、混合コンテンツの編集が容易となり、ユーザのさらなる操作性の向上を図ることができる。
【００４０】
また、コンテンツ管理サーバ１のコンテンツ解析処理部１２（コンテンツ解析手段）は、ユーザ端末２から送信された映像データ、つまり、図９に示した映像登録画面Ｐ１０１から登録された単一コンテンツ、及び、図１０に示した編集登録画面Ｐ２０１から混合製作され送信された混合コンテンツの構成を表すシナリオを解析し、例えば、図６、図７、図８に示すように、コンテンツ＃１〜＃５のシナリオデータを生成する。具体的に、図６に示すコンテンツ＃１のシナリオデータは、コンテンツ名がコンテンツ#1であり、開始時刻C1:t0（=0）から終了時刻C1:t3(相対時刻)までのコンテンツ要素がコンテンツ#1である、ことを示している。また、図７に示すコンテンツ＃４のシナリオデータは、コンテンツ＃３の時刻t1からt3まで、コンテンツ＃１のt0からt1まで、コンテンツ＃２のt1から2まで、コンテンツ＃１のt2からt3まで、の各コンテンツ部分を結合して作成したことを示している。さらに、コンテンツ＃５は、コンテンツ＃４のt1からt4まで、コンテンツ＃２のt3からt4まで、のコンテンツ部分を結合して作成したことを示している。なお、コンテンツ＃１〜＃３のように映像データが直接登録された場合には、映像データ自体はコンテンツ名と関連付けられて映像データ記録部１６に記録される。
【００４１】
また、コンテンツ管理サーバ１のメタ情報生成処理部１３（メタ情報生成手段）は、上述した解析結果、つまり登録されるコンテンツのシナリオデータに基づいて、コンテンツ情報として登録されるメタ情報を生成する。このメタ情報は、主に、コンテンツ名と、コンテンツの構成を表すコンテンツリスト（コンテンツ構成情報）と、コンテンツの構成が単一コンテンツであるかあるいは複数のコンテンツが組み合わせられた混合コンテンツであるかを表すフラグ情報（混合有無情報）と、編集箇所を示す編集ポイント（編集情報）と、を含んでいる。具体的に、図６に示すコンテンツ＃１の場合には、シナリオデータから単一コンテンツにて構成されていることがわかるため、そのメタ情報は、コンテンツ名がコンテンツ#1、元データであることを示すORGフラグ情報がTRUE、開始時刻C1:t0（=0）から終了時刻C1:t3(相対時刻)までのコンテンツ要素がコンテンツ#1、となる。
【００４２】
また、メタ情報生成処理部１３は、登録されるコンテンツが混合コンテンツである場合に対応すべく、さらに、上記シナリオデータに基づいてそのコンテンツを構成する構成コンテンツを特定する構成コンテンツ特定部（図示せず：構成コンテンツ特定手段）と、当該構成コンテンツの既に登録されているメタ情報を読み取るメタ情報読取部（図示せず：メタ情報読取手段）と、読み取った構成コンテンツのメタ情報と解析結果とに基づいて登録されるコンテンツのコンテンツリスト（コンテンツ構成情報）を生成するコンテンツ構成情報生成部（図示せず：コンテンツ構成情報生成手段）と、を備えている。
【００４３】
ここで、例えば、図７に示すコンテンツ＃４のメタ情報を生成する場合を説明すると、まず、コンテンツ＃４のシナリオデータからその構成を特定すると、コンテンツ#4は、コンテンツ#3、コンテンツ#1、コンテンツ#2、コンテンツ#1で構成されていることがわかる。そして、各構成コンテンツ＃１〜＃３のメタ情報を読み出してORGフラグ情報を調べると、図６に示すように全てTRUEで単一コンテンツであり、映像データそのものを参照していることから、コンテンツリストとして各コンテンツ名と開始時刻及び終了時刻が登録され、編集ポイントC4t2〜C4t4としては、コンテンツ#4の時刻として登録される。また、図８に示すコンテンツ＃５の場合には、コンテンツ#4、コンテンツ#2で構成されており、コンテンツ#4のメタ情報#4のORGフラグ情報がFLASEであり、コンテンツ#4が編集コンテンツであることから、コンテンツ#5で参照しているコンテンツ#4の開始時刻と終了時刻から、該当時刻を算出し、該当時刻部分のメタ情報#4のコンテンツリストが登録されている（図８の矢印Ｙ１参照）。また、編集ポイントとしても、コンテンツ#4の参照時刻に該当するC5:t1及びC5:t2はコンテンツ#4としての編集ポイントであるとして登録され、C5:t3は、コンテンツ#5としての編集ポイントとして登録される（図８の矢印Ｙ２参照）。このように、メタ情報生成処理部１３は、登録されるコンテンツ（上記ではコンテンツ＃５）を構成する構成コンテンツ（上記ではコンテンツ＃４）が混合コンテンツである場合には、当該構成コンテンツ（＃４）のメタ情報に含まれるコンテンツリストの全部あるいは一部を、登録されるコンテンツ（＃５）のコンテンツリストに含めてメタ情報を生成する。
【００４４】
以上のようにメタ情報を生成することで、各コンテンツのメタ情報内のコンテンツリストは、映像データが登録された単一コンテンツの組み合わせにて構成される。具体的には、各単一コンテンツを特定するコンテンツ名と、各コンテンツの利用されている部分を指定する時間情報と、により構成される。
【００４５】
また、コンテンツ管理サーバ１のコンテンツ登録処理部１４（メタ情報登録手段）は、上述したように生成したメタ情報を、コンテンツ情報としてコンテンツ情報記憶部１７に登録する。
【００４６】
また、コンテンツ管理サーバ１のコンテンツ配信処理部１５は、コンテンツの配信要求を受け付けるコンテンツ配信要求受付部（図示せず：コンテンツ配信要求受付手段）と、配信要求されたコンテンツの既に登録されているメタ情報を読み出し、当該メタ情報に含まれるコンテンツリストに基づいてコンテンツ配信処理を行うコンテンツ配信部（コンテンツ配信手段）と、を備えている。具体的には、ユーザ端末２からコンテンツ視聴の要求があると、図１２に示すように、コンテンツ管理サーバ１から配信可能なコンテンツリストの表示画面をユーザ端末２に送信する。そして、ユーザ端末２は、コンテンツリストのうち、視聴を希望するコンテンツを選択することで、その要求がコンテンツ管理サーバ１に送信される。すると、コンテンツ管理サーバ１は、選択されたコンテンツのメタ情報をコンテンツ情報記憶部１７から読み出して、このメタ情報のコンテンツリストに登録されている映像データのストリーミング配信を実行する。例えば、映像データ記憶部１６に記憶されている映像データを配信したり、あるいは、素材サーバ３に記憶されている映像データの場合は当該素材サーバ３に配信指令を送る。なお、ユーザ端末２は、配信されたストリーミングデータを受信し、図８に示すような再生画面を表示部にて表示する。このとき、再生、停止、早送り、巻き戻し等の処理が可能である。
【００４７】
［動作］
次に、上記構成のコンテンツ登録システム、主に、コンテンツ管理サーバ１の動作を、図１４のフローチャート、及び、その他の図を参照して説明する。
【００４８】
まず、ユーザ端末２は、ネットワークＮにおいて、IPアドレスやURLを指定し、コンテンツ管理サーバ１に接続する。すると、コンテンツ管理サーバ１の登録受付処理部１１は、ユーザ端末２からの接続要求に対し、図９に示す映像登録処理画面P101を送信する。
【００４９】
ユーザ端末２は、受信した映像登録処理画面P101を表示部２４に表示する。ユーザは、映像登録処理画面P101上にて、ユーザ名をユーザ名入力欄P102、登録するコンテンツ名をコンテンツ名入力欄P103に入力し、登録する映像データをファイル指定P104で指定した後、登録ボタンP105を押下する。登録ボタンP105が押下された事を契機に、ユーザ名入力欄P102に入力されたユーザ名、コンテンツ名入力欄P103に入力されたコンテンツ名と、ファイル指定欄P104で指定された映像データを、コンテンツ管理サーバ１に送信する。
【００５０】
すると、コンテンツ管理サーバ１の登録受付処理部１１は、上記情報を受け付けて（ステップＳ１、コンテンツ受付工程）、コンテンツ解析処理部１２に渡す。そして、コンテンツ解析処理部１２は、受信した情報を解析してシナリオデータを生成し（ステップＳ２、コンテンツ解析工程）、映像データとコンテンツ名を関連付けて映像データ記憶部１６に記録する。また、コンテンツ解析処理部１２は、上記シナリオデータをメタ情報生成処理部１３に渡す。すると、メタ情報生成処理部１８は、シナリオデータに基づいてメタ情報を生成し（ステップＳ３，Ｓ４、メタ情報生成工程）、コンテンツ情報記憶部１７に記録する（ステップＳ５でノー、ステップＳ１３、コンテンツ登録工程）。
【００５１】
ここで、図６は、コンテンツとして登録される映像データと、そのシナリオデータ、またメタ情報のイメージを示す概念図である。図６において、コンテンツ#1、#2、及び#3は、ユーザが所有する映像データのコンテンツ構成を示すイメージ図である。そして、メタ情報#1は、コンテンツ名がコンテンツ#1、元データであることを示すORGフラグがTRUE、開始時刻C1:t0（=0）から終了時刻C1:t3(相対時刻)までのコンテンツ要素が、コンテンツ#1であることを示している。なお、コンテンツ#2,#3の場合も同様である。
【００５２】
次に、登録されたコンテンツを編集してコンテンツの混合制作する場合の動作について説明する。まず、ユーザ端末２は、ネットワーク４において、IPアドレスやURL等を指定し、編集用の登録受付処理部１１、つまり、図５に示す編集登録処理部１１２に接続する。
【００５３】
編集登録処理部１１２は、ユーザ端末２からの接続要求に対し、図１０に示す編集登録画面Ｐ２０１を送信する。ユーザ端末２は、受信した編集登録画面Ｐ２０１を表示部２４に表示する。ユーザは、編集登録画面上で、操作部２５を介して操作することで、コンテンツの参照、編集及び登録操作を行う。ここで、図１０を参照して、ユーザ端末２における編集登録画面Ｐ２０１のユーザ操作を説明する。まず、コンテンツ参照部P205では、コンテンツの検索及びそのリスト参照が可能であり、コンテンツ名検索欄にコンテンツ名を入力して検索ボタンを押下すると、コンテンツ記録手段に記録されているコンテンツが検索されて、コンテンツ参照部P205に表示される（コンテンツ検索工程）。また、ネットワークＮで接続されている一般的な素材サーバ３に記録されているコンテンツも、直接URL等を指定することは可能である。そして、コンテンツ参照部Ｐ２０５に表示されたコンテンツ名を選択すると、編集操作部P202で動画再生画面に再生表示される（コンテンツ再生出力工程）。映像操作ボタンP207の操作により、コンテンツの再生、停止、早送り、巻き戻しが可能である。そして、ユーザが指定されたコンテンツにおいて、利用したい箇所をコンテンツ再生中に始点ボタンP208と、終点ボタンP209で選択指定し、追加ボタンP210を押下することで、コンテンツ構成部P204に選択されたコンテンツが追加され（コンテンツ選択工程）、コンテンツ名と、選択された映像のコンテンツ始点からの相対時刻として開始時刻及び停止時刻と、の組み合わせからなる混合コンテンツの構成情報が生成され、表示される。そして、編集操作部P202での操作を繰り返すことで、複数のコンテンツを組み合わせることが可能となる。編集操作が終了した場合、コンテンツ登録部P203で、登録するコンテンツ名P211を入力し、登録ボタンP212を押下すると、コンテンツ管理サーバ１に送信されて、編集されたコンテンツとして登録される。なお、コンテンツの構成情報を変更する場合には、コンテンツ構成部P204上で、例えば、コンテンツ名表示をドラッグ＆ドロップしてその順序を入れ替えたり、コンテンツ名上で削除指令を入力して構成情報内から削除するなど、所定の構成変更指令を入力することで、コンテンツの変更が可能となる（構成変更工程）。
【００５４】
ここで、図７のコンテンツ#4及び図８のコンテンツ#5は、登録されたコンテンツを編集して新しいコンテンツを作成した例である。コンテンツ#4は、コンテンツ#3の時刻t1からt3まで、コンテンツ#1のt0からt1まで、コンテンツ#2のt1から2まで、コンテンツ#1のt2からt3まで、を結合して作成したコンテンツである。コンテンツ#5は、コンテンツ#4のt1からt4まで、コンテンツ#2のt3からt4までを結合して作成したコンテンツである。また、図１１は、コンテンツ#4及びコンテンツ#5を編集登録する際に、図１０の編集登録画面のコンテンツ構成部P204で表示されるイメージ図である。
【００５５】
続いて、コンテンツ管理サーバ１の登録受付処理部１１である編集登録処理部１１２は、登録ボタンP212が押下されたのを契機に編集内容を表すコンテンツ構成部P204の構成情報を受け付けて（ステップＳ１、コンテンツ受付工程）、コンテンツを解析し、シナリオデータを生成する（ステップＳ２、コンテンツ解析工程）。なお、図７及び図８のシナリオデータ#4及び#5は、それぞれコンテンツ#4及び#5のシナリオデータである。
【００５６】
そして、メタ情報生成処理部１３は、上記シナリオデータに基づいて、コンテンツのメタ情報を生成する（メタ情報生成工程）。以下、メタ情報生成処理部１３でのメタ情報を生成する動作について、さらに詳細に説明する。まず、メタ情報生成処理部１３は、コンテンツ解析処理部１２からシナリオデータを受信する（ステップＳ３）。メタ情報生成処理部１３は、シナリオデータ#4から、時間とコンテンツ名を参照する（ステップＳ４、構成コンテンツ特定工程）。そして、シナリオデータにコンテンツ名の有無を判定し（ステップＳ５）、コンテンツ名が存在する場合は（ステップＳ５にてイエス）、コンテンツ情報記憶部１７から、コンテンツ名を指定して、該当コンテンツ名のメタ情報を読み出し（メタ情報読取工程）、メタ情報内のORGフラグ情報を参照する（ステップＳ６）。次に、ORGフラグ情報の判定処理を行い（ステップＳ７）、ORGフラグがTRUEの場合は、該当コンテンツが単一データであることから、メタ情報のコンテンツリストを該当コンテンツ名とする（ステップＳ８、コンテンツ構成情報生成工程）。また、該当コンテンツの終了時刻を編集ポイント（編集情報）として、該当コンテンツ名＋終了時刻とする（ステップＳ９）。
【００５７】
ORGフラグの判定処理（ステップＳ７）において、ORGフラグがFALSEの場合は（ステップＳ７にてノー）、該当コンテンツのメタ情報内コンテンツリストを参照する（ステップＳ１０）。そして、シナリオデータで指定されたコンテンツの開始時刻から、終了時刻内と合致するメタ情報内のコンテンツリストの時刻を算出し、メタ情報内のコンテンツ名を、生成するメタ情報内に登録する（ステップＳ１１）。また、シナリオデータで指定された開始時刻から終了時刻内の編集ポイントを、生成するメタ情報の編集ポイントとして登録する（ステップＳ１２）。
【００５８】
ここで、図７及び図８のメタ情報#4及び#5は、夫々コンテンツ#4及び#5のメタ情報である。メタ情報#4は、コンテンツ#4が、コンテンツ#3、コンテンツ#1、コンテンツ#2、コンテンツ#1で構成され、参照しているコンテンツのORGフラグが全てTRUEで、映像データそのものを参照していることから、コンテンツリストとして各コンテンツ名と開始時刻及び終了時刻が登録され、編集ポイントとしては、コンテンツ#4の時刻として登録されている。また、メタ情報#5は、コンテンツ#5が、コンテンツ#4、コンテンツ#2で構成され、コンテンツ#4のメタ情報#4のORGフラグがFLASEであり、コンテンツ#4が編集コンテンツであることから、コンテンツ#5で参照しているコンテンツ#4の開始時刻と終了時刻から、該当時刻を算出し、該当時刻部分のメタ情報#4のコンテンツリストが登録されている。また編集ポイントとしても、コンテンツ#4の参照時刻に該当するC5:t1及びC5:t2はコンテンツ#4としての編集ポイントであるとして登録され、C5:t3は、コンテンツ#5としての編集ポイントとして登録される。
【００５９】
そして、以上のようにして生成されたメタ情報を、コンテンツ情報として、コンテンツ管理サーバ１のコンテンツ情報記憶部１７に記録する（ステップＳ５でノー、ステップＳ１３、コンテンツ登録工程）。
【００６０】
次に、コンテンツ視聴時の動作について説明する。ユーザ端末２は、ネットワークＮにおいて、IPアドレスやURLを指定し、コンテンツ管理サーバ１に接続する。すると、コンテンツ管理サーバ１のコンテンツ配信処理部１５は、ユーザ端末２からの接続要求に対し、コンテンツリストを送信する。ユーザ端末２は、コンテンツリストを表示部２４に表示する。ここで、図１２は、ユーザ端末２の表示部２４に表示されるコンテンツリストのイメージ図である。
【００６１】
その後、コンテンツリスト上で、ユーザが視聴したいコンテンツを選択した場合、コンテンツ管理サーバ１のコンテンツ配信処理部１５は、コンテンツ情報記憶部１７から、該当コンテンツのメタ情報を読み出し、このメタ情報のコンテンツリストに従ってコンテンツの配信を実行する。つまり、コンテンツリストの順番に、該当するコンテンツの該当部分をストリーミング配信する。例えば、参照するコンテンツ管理サーバ１の映像データ記憶部１６に記憶されている映像データを、当該記憶装置１Ｃから読み出してユーザ端末２にストリーミング配信し、ネットワークＮ上の素材サーバ３など他のコンピュータに記憶されている映像データについては、各コンピュータに配信指令することで、ユーザ端末２にストリーミング配信する。すると、ユーザ端末２は、配信されたストリーミングデータを受信し、表示部２４にて再生する。図１３は、ユーザ端末２の表示部２４に表示されるコンテンツ再生画面のイメージ図である。ユーザは、コンテンツ再生画面において、再生、停止、早送り、巻き戻しの処理が可能である。
【００６２】
以上のように、本実施例によると、メタ情報が生成されたコンテンツが別のコンテンツに組み込まれて混合コンテンツが構成される場合には、その構成コンテンツのメタ情報を参照することで、新たに登録される混合コンテンツの構成情報の作成及び登録が容易となる。そして、特に、混合コンテンツの構成を表すメタ情報内のコンテンツリストが映像データそのものを参照するよう構成されるため、動画などの大容量のデータを重複して記憶する必要が無く、システムの記録容量を削減できると共に、コンテンツの再生時の元データの参照が複雑ではないため、再生の遅延を防止することができる。
【実施例２】
【００６３】
次に、本発明の第２の実施例を、図１５乃至図２０を参照して説明する。図１５は、本実施例におけるコンテンツ管理サーバの構成を示す機能ブロック図であり、図１６乃至図１８は、コンテンツ管理サーバに記憶される情報の一例を示す図である。図１９乃至図２０は、コンテンツ管理サーバの一部の動作を示すフローチャートである。
【００６４】
［構成］
まず、本実施例におけるコンテンツ管理サーバ２００は、実施例１にて説明したコンテンツ管理サーバ１とほぼ同様の構成を採っている。つまり、図１５に示すように、通信部２００Ａ、各処理部２１１〜２１５が構築された制御装置２００Ｂ、各記憶部２１６，２１７が形成された記憶装置２００Ｃ、を備えている。そして、さらに、本実施例では、制御装置２００Ｂに所定のプログラムが組み込まれることにより、コンテンツ価値算出処理部２２１が構築され、また、記憶装置２００Ｃには、ユーザ情報記憶部２２２が形成されている。また、実施例１と同様の各処理部２１１〜２１５あるいは各記憶部２１６，２１７にも、以下に説明する新たな機能が装備されている。
【００６５】
まず、本実施例における登録受付処理部２１１は、ユーザ端末２からコンテンツの登録要求があったときに、記憶装置２２０Ｃのユーザ情報記憶部２２２（作成者情報記憶手段）に、図１６に示すようなユーザ情報（コンテンツ作成者情報）を記憶する。このユーザ情報は、ユーザ名と、各ユーザに対してフィードバックされるポイント数と、当該ユーザが作成・編集したコンテンツ名と、が関連付けられて登録されている。なお、上記ポイント数とは、後述するように、各ユーザが作成したコンテンツの価値を表すポイントとなる。
【００６６】
また、本実施例におけるメタ情報生成処理部２１３は、上述したメタ情報を生成すると共に、各コンテンツが作成されたことに対する価値情報を生成する機能（価値情報生成手段）を有する。例えば図１７のコンテンツ価値情報に示すように、上述したようにコンテンツ解析処理部２１２の解析結果に応じて生成されたメタ情報と、上記ユーザ情報記憶部２２２に記憶されたユーザ情報（図１６参照）とに基づいて、各コンテンツの価値がどのユーザに帰属するか、を判定して登録する。具体的には、コンテンツリストに含まれるコンテンツ毎に当該コンテンツが生成されたことに対する価値を表すコンテンツ価値（ＣＶ：コンテンツ生成価値情報）を生成する機能（生成価値付与手段）と、混合されたコンテンツ毎に混合編集されたことに対する価値を表す編集価値（ＥＶ：コンテンツ編集価値情報）を生成する機能（編集価値付与手段）と、を備えている。そして、図１７に示すように、コンテンツ価値（ＣＶ）は、コンテンツの相対時刻とその時刻に対するコンテンツ価値を保有するユーザ名とを組み合わせた情報から成り、編集価値（ＥＶ）は、編集ポイントの時刻とその編集者であるユーザ名とを組み合わせた情報から成る。
【００６７】
ここで、コンテンツ価値情報の生成例を、図１７を参照して説明する。まず、ユーザＡがC1t3時間のデータ長があるコンテンツ#1として、映像データを登録した場合には、上述したように生成したメタ情報#1を参照すると、ORGフラグ＝TRUEであるため、映像価値として、コンテンツ内の開始時刻C1:t0からC1:t3までの映像価値は、ユーザAに帰属するものとして登録する。また、コンテンツ＃４のコンテンツ価値情報#4は、メタ情報#4からコンテンツ名を参照し、該当コンテンツのユーザ情報をユーザ情報記憶部２２２からユーザ情報を参照し、CVとして、各コンテンツのユーザ名、ユーザA、ユーザB、ユーザCが登録され、EVとしてコンテンツ#4の編集者であるユーザDが登録されている。また、コンテンツ＃５のコンテンツ価値情報#5は、当該コンテンツ#5がコンテンツ#4を利用している為、CVとしてコンテンツ#4で利用しているコンテンツ#3、コンテンツ#2、コンテンツ#1のユーザC、ユーザB、ユーザAが登録されている。EVとしては、コンテンツ#4の編集ポイントが含まれる為、C5:t1及びC5:t2は、ユーザDとして登録され、C5:t3はコンテンツ#5の編集ポイントである為、ユーザEとして登録されている。なお、ＥＶを生成する場合には、上述したメタ情報に含まれる編集情報である編集ポイントが参照される。
【００６８】
また、本実施例におけるコンテンツ価値算出処理部２２１は、上述したように生成した登録したコンテンツ毎のコンテンツ価値情報に基づいて、価値情報の値（フィードバックポイント）を算出する機能を有する。つまり、このコンテンツ価値算出処理部２２１は、上記メタ情報生成処理部２１３と協働して、価値情報生成手段として機能する。ここで、フィードバックポイントの算出例を図１８を参照して説明する。
【００６９】
本実施例においては、フィードバックポイントは、コンテンツの視聴状況に応じて算出される。まず、本実施例におけるコンテンツ配信処理部２１５では、ユーザ端末２による各コンテンツの視聴状況、例えば、コンテンツ単位に、視聴範囲を視聴開始時刻から終了時刻とした視聴履歴情報を、コンテンツ価値算出処理部２２１に通知する。
【００７０】
そして、コンテンツ価値算出処理部２２１は、上記受信した視聴情報に基づいて、コンテンツ情報記憶部２１７から該当コンテンツのコンテンツ価値情報を読み出す。そして、視聴履歴情報の視聴時刻と、コンテンツ価値情報を比較判定し、該当コンテンツの価値を保有するユーザへのポイントを算出する。さらに映像データの保有者であるコンテンツ価値（CV）と、編集者が創出した編集価値(EV)に任意の係数をポイントとして計上し、これらのポイントを、ユーザへのポイントフィードバックとして、ユーザ情報記憶部２２２に登録する。このように、視聴履歴情報の視聴時刻に基づいて価値を算出するため、コンテンツが実際に配信され視聴された部分のみ、ポイントがフィードバックされる。
【００７１】
ここで、図１８に、コンテンツ#5の視聴履歴と、その視聴履歴から得られる視聴範囲内で、どのコンテンツが視聴されたかどうかを判定し計上した視聴履歴カウント値と、ポイントフィードバックの算出結果との一例を示す。図１８では、例としてコンテンツ#5の視聴履歴#1と視聴履歴#2の2回の視聴に関して示されている。視聴履歴#1と視聴履歴#2と、コンテンツ価値情報#5を参照し、コンテンツ価値情報#5のCVで指定された時間内で視聴された場合、該当ユーザに対してポイントを加算する。次にEVで指定された時刻が視聴された場合、該当ユーザに対してポイントを加算する。これらの加算結果として、視聴履歴カウント値#wt1、視聴履歴カウント値#2となる。これらのカウント値と、コンテンツ価値係数rCVと編集価値係数rEVと、コンテンツ時間に対する視聴時間比を乗算した結果として、ユーザ単位のポイントフィードバックとして算出する。例として、rCV=0.6、rEV=0.4とした結果が、図１８の視聴履歴#1のポイントフィードバック値#wt1と、ポイントフィードバック値#wt2である。
【００７２】
なお、上述したように算出されたポイントフィードバック値は、例えば、所定の店舗（オンラインショップなど）で商品を購入できるポイントとして利用でき、各ユーザに対して還元される。
【００７３】
［動作］
次に、上記構成のコンテンツ登録システム、主に、コンテンツ管理サーバ２２０の動作を、図１４、図１９、図２０のフローチャート、及び、その他の図を参照して説明する。なお、メタ情報を登録するまでの動作は、上述した実施例１の場合とほぼ同様であるため、簡単に説明する。
【００７４】
まず、ユーザ端末２は、ネットワークＮにおいて、IPアドレスやURLを指定し、コンテンツ管理サーバ２００に接続すると、当該コンテンツ管理サーバ２００の登録受付処理部２１１は、ユーザ端末２からの接続要求に対し映像登録処理画面P101を送信する。
【００７５】
ユーザ端末２は、受信した映像登録処理画面P101を表示部２４に表示し、映像登録処理画面P101上にて、ユーザ名、登録するコンテンツ名、登録する映像データのファイル指定、を入力し、登録ボタンP105を押下すると、各データがコンテンツ管理サーバ２００に送信される。
【００７６】
すると、コンテンツ管理サーバ２００の登録受付処理部２１１は、上記情報を受け付けて（ステップＳ１、コンテンツ受付工程）、コンテンツ解析処理部２１２にて受信した情報を解析してシナリオデータを生成し（ステップＳ２、コンテンツ解析工程）、映像データとコンテンツ名を関連付けて映像データ記憶部２１６に記録する。また、コンテンツ解析処理部２１２は、上記シナリオデータをメタ情報生成処理部１３に渡す。なお、このとき、コンテンツ解析処理部２１２は、コンテンツ名とユーザ名を関連付けて、図１６に示すユーザ情報を生成して、ユーザ情報記憶部２２２に記録する。
【００７７】
続いて、メタ情報生成処理部２１３は、シナリオデータに基づいてメタ情報と価値情報を生成し（ステップＳ３，Ｓ４、メタ情報生成工程、価値情報生成工程）、コンテンツ情報記憶部２１７に記録する（ステップＳ５でノー、ステップＳ１３、コンテンツ登録工程）。
【００７８】
ここで、例えば、コンテンツ＃１の価値情報を生成する場合を例に挙げると、図１７に示すように、まず、生成されたメタ情報#1を参照する（ステップＳ２０１）。すると、ORGフラグ＝TRUEであるため、コンテンツリストに含まれる自身であるコンテンツ＃１のユーザを、ユーザ情報を参照して判定する（ステップＳ２０２）。これにより、コンテンツ内の開始時刻C1:t0からC1:t3までのコンテンツ価値（ＣＶ）は、ユーザAに帰属するものとして登録される（ステップＳ２０３、生成価値付与工程）。なお、このコンテンツ＃１は単一コンテンツであるため、編集価値（ＥＶ）は無しとされる。
【００７９】
次に、コンテンツ＃４や＃５など、登録されたコンテンツを編集してコンテンツの混合製作する場合の動作について説明する。
【００８０】
まず、ユーザ端末２は、ネットワーク４において、IPアドレスやURL等を指定し、コンテンツ管理サーバ２００の編集用の登録受付処理部２１１に接続する。すると、コンテンツ管理サーバ２００は、ユーザ端末２からの接続要求に対し、編集登録画面Ｐ２０１を送信する。そして、ユーザ端末２は、受信した編集登録画面Ｐ２０１を表示部２４に表示し、上述したように、編集登録画面上で、コンテンツの参照、編集及び登録操作を行う。そして、編集操作が終了すると、コンテンツの内容がコンテンツ管理サーバ２００に送信される。
【００８１】
コンテンツ管理サーバ２００は、コンテンツの編集内容を受け付け（ステップＳ１、コンテンツ受付工程）、コンテンツを解析し、シナリオデータを生成する（ステップＳ２、コンテンツ解析工程）。そして、メタ情報生成処理部２１３は、上記シナリオデータに基づいて、コンテンツのメタ情報を生成し（メタ情報生成工程）、この生成したメタ情報から、コンテンツ価値情報を生成する（価値情報生成工程）。
【００８２】
ここで、コンテンツ価値情報の生成動作について詳述する。メタ情報生成処理部２１３は、メタ情報生成後、メタ情報からコンテンツ名を参照する（ステップＳ２０１）。また、ユーザ情報記憶部２２２から、参照したコンテンツ名をキーにして、ユーザ名を参照する（ステップＳ２０２）。そして、該当ユーザ名をコンテンツメタ情報の時刻に応じて、登録を行う（ステップＳ２０３）。例えば、図１７に示すように、コンテンツ価値情報#4は、メタ情報#4からコンテンツ名を参照し、該当コンテンツのユーザ情報を参照して生成されたものである。CVとしては、各コンテンツのユーザ名、ユーザA、ユーザB、ユーザCが登録され（生成価値付与工程）、EVとしてコンテンツ#4の編集者であるユーザDが登録されている（編集価値付与工程）。また、コンテンツ価値情報#5は、コンテンツ#5から生成されたものである。コンテンツ#5は、コンテンツ#4を利用しているため、CVとしてコンテンツ#4で利用しているコンテンツ#3、コンテンツ#2、コンテンツ#1のユーザC、ユーザB、ユーザAが登録されている。EVとしては、コンテンツ#4の編集ポイントが含まれる為、C5:t1及びC5:t2は、ユーザDとして登録され、C5:t3はコンテンツ#5の編集ポイントであるため、ユーザEとして登録されている。なお、上記生成価値の登録と編集価値の登録の順序は任意である。
【００８３】
そして、以上のようにして生成されたコンテンツ価値情報を、メタ情報と共に、コンテンツ管理サーバ２００のコンテンツ情報記憶部２１７に記録する（ステップＳ５でノー、ステップＳ１３、コンテンツ登録工程）。なお、コンテンツ価値情報の生成及び登録は、一旦、メタ情報がコンテンツ情報記憶部２１７に登録された後に、任意のタイミングで実行されてもよい。
【００８４】
次に、コンテンツ視聴時の動作について説明する。実施例１と同様に、ユーザ端末２がコンテンツ管理サーバ２００に接続して、ユーザが視聴したいコンテンツを選択すると、コンテンツ配信処理部２１５は、コンテンツ情報記憶部２１７から該当コンテンツのメタ情報を読み出し、このメタ情報のコンテンツリストに従って、コンテンツの配信を実行する。そして、コンテンツ配信処理部２１５は、配信を行ったコンテンツの配信状況を表す視聴履歴をコンテンツ情報記憶部２１７に記憶する。あるいは、コンテンツ価値算出処理部２２１に通知する。なお、ここでは、図１８に示すように、コンテンツ＃５が、全て視聴された場合（視聴履歴＃１）と、時刻ｔ３まで視聴された場合（視聴履歴＃２）を例に挙げて説明する。
【００８５】
コンテンツ価値算出処理部２２１は、コンテンツ配信処理部２１５から視聴情報を受信した際に（ステップＳ３０１）、コンテンツ情報記憶部２１７から、該当コンテンツのコンテンツ価値情報を参照する（ステップＳ３０２）。そして、視聴履歴情報の視聴時刻と、コンテンツ価値情報を比較判定し、該当コンテンツの価値を保有するユーザへのポイントの値を算出する。特に、映像データの保有者であるコンテンツ価値（CV）と、編集者が創出した編集価値(EV)に任意の係数をポイントとして計上し、これらのポイントをユーザへのポイントフィードバックとして登録する（ステップＳ３０３、生成価値付与工程、編集価値付与工程）。
【００８６】
具体的には、図１８に示すように、視聴履歴#1と視聴履歴#2と、コンテンツ価値情報#5を参照し、コンテンツ価値情報#5のCVで指定された時間内で視聴された場合、該当ユーザに対してポイントを加算する。次にEVで指定された時刻が視聴された場合、該当ユーザに対してポイントを加算する。これらの加算結果として、視聴履歴カウント値#wt1、視聴履歴カウント値#2となる。これらのカウント値と、コンテンツ価値係数rCVと編集価値係数rEVと、コンテンツ時間に対する視聴時間比を乗算した結果として、ユーザ単位のポイントフィードバックとして算出する。例として、rCV=0.6、rEV=0.4とした結果が、図5、視聴履歴#1のポイントフィードバック値#wt1と、ポイントフィードバック値#wt2である。そして、コンテンツ価値算出処理部２２１は、算出したユーザ単位のポイントフィードバック値を、ユーザ情報記憶部２２２のユーザポイントに加算記録する。
【００８７】
ここで、上述した登録受付処理部２１１は、ユーザ端末２からの接続要求時に、当該ユーザ端末２から送信されるユーザ名などの個人を認識できる情報と、ユーザ情報記憶部２２２に記録されているユーザ名と、の比較判定によるユーザ認証を行う。このユーザ認証により、コンテンツの更新や削除などのコンテンツ制御を行う場合は、ユーザ情報記憶部２２２に記録されている該当ユーザのコンテンツのみをアクセス可能とする。従って、所有権（著作権）を有さないユーザによるコンテンツの更新制御は、禁止される。また、ユーザ認証においては、ユーザ名やユーザIDに加え、ユーザ個人しか知りえないパスワードや暗号鍵などによる認証を加えることも可能である。
【００８８】
以上のように、本実施例によると、コンテンツを構成するコンテンツ毎には生成価値が付与されて評価され、また、編集された混合コンテンツには、編集価値が付与されて評価される。従って、コンテンツの創作価値がユーザに還元されるため、ユーザによる創作活動の活発化を図ることができ、システムの利用頻度の向上を図ることができる。そして、特に、視聴結果に基づいてフィードバックされる価値つまりポイントを算出することで、需要に応じた適切な価値を作成者にフィードバックすることができる。
【産業上の利用可能性】
【００８９】
本発明は、ユーザによる動画などのコンテンツの登録が可能であり、また、登録されたコンテンツをユーザに配信可能なシステムに利用することができ、産業上の利用可能性を有する。
【図面の簡単な説明】
【００９０】
【図１】コンテンツ登録システムの全体構成を示すブロック図である。
【図２】図１に開示したユーザ端末の構成を示す機能ブロック図である。
【図３】図１に開示した素材サーバの構成を示す機能ブロック図である。
【図４】図１に開示したコンテンツ管理サーバの構成を示す機能ブロック図である。
【図５】図１に開示したコンテンツ管理サーバの編集登録処理部１１２の構成を示す機能ブロック図である。
【図６】コンテンツのシナリオデータ及びメタ情報の一例を示す図であり、特に、単一コンテンツの場合を示す。
【図７】コンテンツのシナリオデータ及びメタ情報の一例を示す図であり、特に、混合コンテンツの場合を示す。
【図８】コンテンツのシナリオデータ及びメタ情報の一例を示す図であり、特に、混合コンテンツの場合を示す。
【図９】ユーザ端末に表示される画面例を示す図であり、単一コンテンツ登録時の画面例を示す。
【図１０】ユーザ端末に表示される画面例を示す図であり、混合コンテンツの編集・登録時の画面例を示す。
【図１１】ユーザ端末に表示される画面例を示す図であり、図１０に開示した画面の一部の表示例を示す。
【図１２】ユーザ端末に表示される画面例を示す図であり、コンテンツ閲覧時の画面例を示す。
【図１３】ユーザ端末に表示される画面例を示す図であり、コンテンツ閲覧時の画面例を示す。
【図１４】コンテンツ管理サーバの動作を示すフローチャートであり、主に、メタ情報生成時の動作を示す。
【図１５】実施例２におけるコンテンツ管理サーバの構成を示す機能ブロック図である。
【図１６】図１５に開示したユーザ情報記憶部に記憶される情報の一例を示す図である。
【図１７】コンテンツのメタ情報及びコンテンツ価値情報の一例を示す図である。
【図１８】コンテンツの視聴履歴及びポイントフィードバックの算出例を示す図である。
【図１９】コンテンツ管理サーバの動作を示すフローチャートであり、主に、コンテンツ価値情報生成時の動作を示す。
【図２０】コンテンツ管理サーバの動作を示すフローチャートであり、主に、ポイント算出時の動作を示す。
【符号の説明】
【００９１】
１  コンテンツ管理サーバ
２  ユーザ端末
３  素材サーバ
１１  登録受付処理部
１２  コンテンツ解析処理部
１３  メタ情報生成処理部
１４  コンテンツ登録処理部
１５  コンテンツ配信処理部
１６  映像データ記憶部
１７  コンテンツ情報記憶部
１１１  新規登録処理部
１１２  編集登録処理部
１１３  コンテンツ検索部
１１４  コンテンツ選択部
１１５  構成変更部
１１６  コンテンツ登録部
【図１】
2008159102.tif 000003
【図２】
2008159102.tif 000004
【図３】
2008159102.tif 000005
【図４】
2008159102.tif 000006
【図５】
2008159102.tif 000007
【図６】
2008159102.tif 000008
【図７】
2008159102.tif 000009
【図８】
2008159102.tif 000010
【図９】
2008159102.tif 000011
【図１０】
2008159102.tif 000012
【図１１】
2008159102.tif 000013
【図１２】
2008159102.tif 000014
【図１３】
2008159102.tif 000015
【図１４】
2008159102.tif 000016
【図１５】
2008159102.tif 000017
【図１６】
2008159102.tif 000018
【図１７】
2008159102.tif 000019
【図１８】
2008159102.tif 000020
【図１９】
2008159102.tif 000021
【図２０】
2008159102.tif 000022